(57)【要約】【課題】所望形状の突起を軸部の外周部に備えたインサートナット及びインサートＴナットを提供することにある。【解決手段】金属材料によって筒状の軸部２が形成され、かつ内周面上には雌ねじ５が形成され、前記軸部２の外周部は、合成樹脂で形成した突起３を備えた樹脂層４で覆われている。【選択図】    図１
2004211778.tif 000002
【特許請求の範囲】
【請求項１】
金属材料によって筒状の軸部が形成され、かつ内周面上には雌ねじが形成され、前記軸部の外周部は、合成樹脂で形成した突起を備えた樹脂層で覆われているインサートナット。
【請求項２】
一体の金属材料からなる軸部および前記軸部の一端部から外方へ張出すフランジ部を備え、前記軸部は、筒状をなし、内周面上には雌ねじが形成され、前記フランジ部の少なくとも一部が合成樹脂で形成した樹脂層で覆われると共に前記軸部の外周部の少なくとも１部が突起を備えた前記樹脂層で覆われ、又は少なくとも前記軸部の外周部の少なくとも１部が合成樹脂で形成した突起を備えた樹脂層で覆われているインサートＴナット。
【請求項３】
前記軸部の雌ねじを形成した箇所の外周部には、凹部が少なくとも１箇所に形成され、かつ前記凹部の形成によって前記雌ねじのねじ山の一部が不整化されている構成である請求項１又は２に記載のインサートナット及びインサートＴナット。
【請求項４】
前記軸部の一端部、又は前記軸部の一端に形成したフランジ部の中央に、六角レンチやドライバー等のねじ込み工具の先端部を係合できる六角穴又は＋穴又は−穴等の係合穴を形成し、かつ前記軸部の外周部に、右巻き又は左巻きで連続又は不連続な螺旋状の突起を形成した請求項１、２又は３に記載のインサートナット及びインサートＴナット。
【請求項５】
前記突起は、前記軸部の外周部の上下方向及び周方向に所定間隔を以って複数形成されている請求項１、２又は３に記載のインサートナット及びインサートＴナット。
【請求項６】
前記フランジ部の外周部には、軸部の一端部から先端部へ向く方向に延びる爪が形成されている請求項２，３，４又は５に記載のインサートＴナット。
【請求項７】
前記軸部は、一端部から先端部にかけて円筒の外径が漸次縮小した形状である請求項１〜６のいずれかに記載のインサートナット及びインサートＴナット。
【請求項８】
前記軸部は、先端部においてかしめが予定された比較的肉薄の部分を有し、かつ前記かしめが予定された部分を除く内周面上には前記雌ねじが形成されている請求項１〜７のいずれかに記載のインサートナット及びインサートＴナット。
【発明の詳細な説明】
【０００１】
【産業上の利用分野】
本発明は、所望の部材どうしを連結固定する場合に使用し、特にテーブル板部材に脚をボルトやネジで固定する場合に使用するインサートナット及びインサートＴナットに関するものである。
【０００２】
【従来の技術】
先に従来のインサートナット及びＴナットについて簡単に説明すると、図２１及び図２２に示すような一例のインサートナット３０は、全体を亜鉛ダイキャストによって形成されていて、中空な円筒状の軸部３０ａの内周面に雌ねじ３０ｂを形成するとともに、軸部３０ａの外周部には取り付け部材へ噛み込む多数の突起３０ｃが形成されている。このインサートナット３０は、図２３に示すように、取り付け部材３１に設けた下穴３２に取り付けた際に、突起３０ｃが取り付け部材３１に噛みこんで容易に抜けない効果をもたらす。
【０００３】
また、図２４に示すような一例のＴナット２０は、鉄系の金属板を板金加工することによって一体に得られるもので、軸部２０ａおよび軸部２０ａの一方の端部から外方へ張出すフランジ部２０ｂからなる。軸部２０ａは、中空の円筒状をなし、外周部は平坦面で、内周面には雌ねじ２０ｃが形成してある。フランジ部２０ｂには、軸部２０ａと同じ方向に沿って４本の爪２０ｄ、２０ｅ、２０ｆ、２０ｇが形成され、また中央部に雌ねじ２０ｃを形成した孔に通じる穴（図示せず）を備えている。なお、Ｔナットに関しては、本発明者と同一人の発明による種々のＴナットが先願の特開平６―３２３３１５号公報や、特開平７―１１６７６９号公報や、特開平７―２７１２２号公報等に開示されている。
【０００４】
さらに本発明者と同一人が先に提案しているＴナットには、クリンプロック機能を備えたもの、すなわち前記雌ねじ２０ｃを形成した軸部２０ａの外周部に凹部（図示せず）を形成して、この凹部を形成した箇所の雌ねじ２０ｃのねじ山の一部を不整化し、ボルトを雌ねじ２０ｃにねじ込んだ時に前記ねじ山の不整化部分が潰されてボルトが緩まないようにした機能（クリンプロック機能）を有するものがある。
【０００５】
【発明が解決しようとする課題】
しかしながら、ダイキャスト製のインサートナットでは、使用時にボルトでねじ山の一部を圧着したり、潰したりすることは全く不可能であり、またボルトの緩み防止機能（クリンプロック機能）を有するようにするために、雌ねじのねじ山の一部を不整化した構成を備えたインサートナットを製作することは全く不可能であった。また、インサートナット自体が成形樹脂からなる製品も、同様にクリンプロック機能を備えた構成にしてもねじ山の強度の点から意味がなかった。
【０００６】
また、前記Ｔナット２０の外周部に前記インサートナット３０のような突起３０ｃを備えることは、ナットの抜けやボルトねじ付け時の共回り防止の点で有効である。ところが、前記したような板金加工によって形成される従来のＴナット２０では、亜鉛ダイキャストで成形されるインサートナット３０のような複雑な形状の突起３０ｃを外周部に形成することは困難であった。勿論、板金加工によってもＴナット２０の外周部に簡単な形状の突起を形成することはできるが、製造コストや販売コストが高くつき、またＴナットの突起の形状も限られる。また、前記Ｔナット２０やインサートナット３０を全て合成樹脂によって形成し、種々形状の突起を備えた前記ナットを形成することはできるが、軸部の内周面に雌ねじを形成するのが困難であり、使用時の雌ねじと金属ボルトとのねじ合わせ強度の点でも問題である。また、全体が金属製の従来のインサートナット３０やＴナット２０では、色もある程度限定された色であった。
【０００７】
また、前記したＴナット２０に更に図示省略するが軸部２０ａの先端部に雌ねじを形成していないかしめ部を備えた構成のＴナットにおいては（便宜上、図２４を参照）、フランジ部２０ｂの穴に通じる円筒状の軸部２０ａの内面に雌ねじ２０ｃが形成してあるため、所望の取り付ける部材に打ち込みかしめ部をかしめた後に、フランジ部２０ｂ側の取り付ける部材
の面を発泡スチロールで成形加工したときに、発泡スチロールの樹脂がフランジ部２０ｂの穴から雌ねじ２０ｃに入るといった欠点がある。
【０００８】
本発明は前記のような点に鑑みてなされたものであって、その目的とするところは、従来の亜鉛ダイキャストによる製造や板金加工による製造では形成することができなかった、所望形状の突起を軸部の外周部に備え、取り付け部材により強固に取り付けできるインサートナット及びインサートＴナットを提供し、更にはこのインサートナット及びインサートＴナットの特徴を備えるとともに、発泡スチロールの樹脂加工時に雌ねじを形成した筒内（軸部内）に樹脂が流れ込むのを防止でき、また軸部に形成した雌ねじにボルトやネジをねじ込んだときに、前記ボルト等が緩むのを防止できる構成も備えているインサートナット及びインサートＴナットを提供することにある。
【０００９】
【課題を解決するための手段】
本発明は前記した目的を有効に達成するために、次のような構成にしてある。すなわち、請求項１に記載のインサートナットは、金属材料によって筒状の軸部が形成され、かつ内周面上には雌ねじが形成され、前記軸部の外周部は、合成樹脂で形成した突起を備えた樹脂層で覆われている構成である。
【００１０】
請求項２に記載のインサートＴナットは、一体の金属材料からなる軸部および前記軸部の一端部から外方へ張出すフランジ部を備え、前記軸部は、筒状をなし、内周面上には雌ねじが形成され、前記フランジ部の少なくとも一部が合成樹脂で形成した樹脂層で覆われると共に前記軸部の外周部の少なくとも１部が突起を備えた前記樹脂層で覆われ、又は少なくとも前記軸部の外周部の少なくとも１部が合成樹脂で形成した突起を備えた樹脂層で覆われている構成である。
【００１１】
請求項３に記載のインサートナット及びインサートＴナットは、請求項１又は２に記載のインサートナット及びインサートＴナットの構成において、前記軸部の雌ねじを形成した箇所の外周部には、凹部が少なくとも１箇所に形成され、かつ前記凹部の形成によって前記雌ねじのねじ山の一部が不整化されている構成である。
【００１２】
請求項４に記載のインサートナット及びインサートＴナットは、請求項１、２又は３に記載のインサートナット及びインサートＴナットの構成において、前記軸部の一端部、又は前記軸部の一端に形成したフランジ部の中央に、六角レンチやドライバー等のねじ込み工具の先端部を係合できる六角穴又は＋穴又は−穴等の係合穴を形成し、かつ前記軸部の外周部に、右巻き又は左巻きで連続又は不連続な螺旋状の突起を形成した構成である。
【００１３】
請求項５に記載のインサートナット及びインサートＴナットは、請求項１、２又は３に記載のインサートナット及びインサートＴナットの構成において、前記突起は、前記軸部の外周部の上下方向及び周方向に所定間隔を以って複数形成されている構成である。
【００１４】
請求項６に記載のインサートＴナットは、請求項２，３、４又は５に記載のインサートＴナットの構成において、前記フランジ部の外周部には、軸部の一端部から先端部へ向く方向に延びる爪が形成されている構成である。
【００１５】
請求項７に記載のインサートナット及びインサートＴナットは、請求項１〜６のいずれかに記載のインサートナット及びインサートＴナットの構成において、前記軸部は、一端部から先端部にかけて円筒の外径が漸次縮小した形状の構成である。
【００１６】
請求項８に記載のインサートナット及びインサートＴナットは、請求項１〜７のいずれかに記載のインサートナット及びインサートＴナットの構成において、前記軸部は、先端部においてかしめが予定された比較的肉薄の部分を有し、かつ前記かしめが予定された部分を除く内周面上には前記雌ねじが形成されている構成である。
【００１７】
前記のような構成により、雌ねじを形成した筒状の軸部の外周部，又はフランジ部の外周面を合成樹脂で形成することにより、亜鉛ダイキャストで形成できる従来の形状の突起は勿論のこと、亜鉛ダイキャストで形成できなかった形状の突起も軸部の外周部に形成することができる。例えばテーブルの裏面部に形成した下穴に嵌め込むことによって、軸部の合成樹脂層の突起がテーブルの部材に噛み込んで、より強固に固着することができる。そして脚の上部のフランジを介してネジやボルトを金属材料で形成した軸部の雌ねじにねじ付けることにより、強固にテーブルに脚を連結固定することができる。また、前記フランジ部の中央に穴が形成されている場合でも、合成樹脂の樹脂層で前記穴とともにフランジ部の平坦な外面部を被覆するため、前記穴から前記した発泡スチロールが雌ねじ部分に流入することもない。
【００１８】
【発明の実施の形態】
以下、本発明の実施の形態を図に基づいて説明する。
そこで、図１、図２は本発明に係る一例のインサートナット１を示し、このインサートナット１は、雌ねじ５を備えた内部中空な軸部２を金属板で形成し、外周部を突起３を備えた樹脂層４で被覆形成してある。
【００１９】
すなわち、前記軸部２は、例えば鉄系の金属板を板金加工することによって得られるもので、中空なる筒状の内周面に一端から他端まで雌ねじ５を形成してある。なお、軸部２は金属材料を板金加工以外の加工方法で形成したものであってもよい。
【００２０】
前記軸部２の外周部（この例では外周全面）は、ポリプロピレン等の合成樹脂で形成した硬い樹脂層４で被覆されている。この樹脂層４には、前記軸部２の円周方向に一定間隔ごとに全周に亘って、かつ軸部２の長手方向に連続凹凸するように形成した突起３が備えられている。突起部分３ａは、四角錐形であって取り付ける部材の下穴に嵌入し易くて抜けにくいように形成してある。
【００２１】
このインサートナット１は、金属板を加工形成した前記軸部２を型  （図示せず）の中の所定位置に配し、前記したポリプロピレン等の合成樹脂で樹脂層４を成形して形成してある。なお、突起部分以外の樹脂層４の厚さは一定の適宜厚さにすればよい。突起部分３ａの大きさ・形状は、他の大きさ形状・配置にしてもよい。また、少なくとも雌ねじ５を形成した部分は、メッキしてある。
【００２２】
前記インサートナット１を使用して例えばテーブル（図示せず）と脚とを連結固定する場合は、テーブルに設けた下穴にインサートナット１を打ち込んで先端部９から嵌め入れることにより、突起３がテーブル部材の内部に噛み込んで、強固にインサートナット１をテーブル部材に固着させることができる。そして脚の上部フランジを介してボルトを金属製の軸部２の雌ねじ５にねじ込むことにより、テーブルと脚とを強固に連結固定することができる。
【００２３】
図３、図４は本発明に係る他の例のインサートＴナット１ａであって、このインサートＴナット１ａは、前記インサートナット１と同じ構成の軸部２と、この軸部２の一端部から外方へ張出するフランジ部６とを金属材料で一体形成し、フランジ部６とともに軸部２の外側を突起３を有する樹脂層４で被覆したものである。なお、このインサートＴナット１ａにおいては、軸部２の外周部のみを突起３を有する樹脂層４で被覆した構成としてもよい。突起３の形状等は、前記の例と同様であり説明を省略する。また、雌ねじ５に通じる穴がフランジ部６に形成されてある場合は、フランジ部６を樹脂層４で被覆することによって前記穴を完全に封じことができる。
【００２４】
図５、図６は本発明に係る他の例のインサートナット（及びインサートＴナット）１ｂであって、前記インサートナット（及びインサートＴナット）１と同様に、内部中空で雌ねじ５を備えた軸部２を、前記した例と同様に金属材料で形成し、軸部２の外周部を合成樹脂による突起３を有する樹脂層４に形成し、かつフランジ部６ａ（このフランジ部６ａは幅の短い環状板状の鍔）も合成樹脂で形成してある。さらにフランジ部６ａの中央には、六角レンチを係合させることができように、前記軸部２の雌ねじ５を形成した貫通孔７に通じる係合穴である六角穴８が形成してある。この係合穴は六角穴に限らず他の形状の穴であっても良い。またドライバーの先を係合できるように＋穴や−穴に形成してもよい。突起３は、軸部２の外周部に右巻き（又は左巻きでもよい）の螺旋状にかつ不連続に個々の突起部３ａを配したように形成してある。勿論、このインサートナット（及びインサートＴナット）１ｂは、フランジ部６ａと軸部２とを金属材料で一体形成し、軸部２の外周部のみを突起３を備えた樹脂層４で被覆した構成であってもよい。
【００２５】
このインサートナット（及びインサートＴナット）１ｂを取り付け部材に形成した下穴に取り付ける場合は、下穴に先端部９から挿入し、前記六角穴８に六角レンチを係合させて回すことにより、突起３が前記取り付け部材に噛み込んで、インサートナット（及びインサートＴナット）１ｂを取り付け部材に強固に取り付けることができる。
【００２６】
図７、図８は本発明に係る他の例のインサートナット（及びインサートＴナット）１ｃであって、このインサートナット（及びインサートＴナット）１ｃは、前記した図３、図４に示すインサートナット（及びインサートＴナット）１ａと略同様の構成で、フランジ部６の中央に、軸部２の雌ねじ５を形成した貫通孔７に通じる穴１０を形成した構成である。フランジ部６の厚さがインサートナット（及びインサートＴナット）１ａより厚く形成してある。他の構成や使用状態は、前記したインサートナット（及びインサートＴナット）１ａと略同様であり、同一箇所に同一符合を付して説明を省略する。
【００２７】
このインサートナット（及びインサートＴナット）１ｃでは、取り付け部材に固着した場合には、ボルトを穴１０から挿入して雌ねじ５にねじ付けたり先端部９側から雌ねじ５にねじ付けたりして、所望の部材を連結固定することができる。
【００２８】
図９、図１０は本発明に係る他の例のインサートナット１ｄであって、前記した図５、図６に示すインサートナット（及びインサートＴナット）１ｂのフランジ部６ａを有さない構成のものである。突起部３ａは、前記インサートナット（及びインサートＴナット）１ｂの突起部３ａに比べ少し長く合成樹脂で形成してある。他の構成、取り付け方は前記インサートナット（及びインサートＴナット）１ｂと同様であり、同一箇所に同一符合を付して説明を省略する。なお、この例では片側に六角の係合穴を形成してあるが、両側に係合穴を形成してもよい。また、突起３は、軸部２の外周部に右巻き又は左巻きの螺旋状にかつ不連続に形成してもよい。勿論、
突起３は図１のような配置、形状に形成してもよい。
【００２９】
図１１は本発明に係る他の例のインサートナット（及びインサートＴナット）１ｅであって、このインサートナット（及びインサートＴナット）１ｅは、前記した例と同様に金属材料で形成した軸部２が、一端部から先端部９に漸次外径を縮小した形状に形成し、一端部側に円形のフランジ部６ａを有している。軸部２の外周部およびフランジ部６ａは、合成樹脂で被覆形成されている。雌ねじ５は、軸部２の一端部から先端部９まで形成されている。合成樹脂で形成した突起３は、個々の突起部３ａを不連続に配したようにして螺旋状に形成してある。
【００３０】
なお、フランジ部６ａは、図３のように雌ねじ５に通じる穴を有さない構成、または図５のような六角穴や図７に示すような丸い穴、或いは−穴や＋穴であってもよい。また、図９に示すようなフランジ部を有さずに一端部に六角穴等の係合穴を形成した構成であってもよい。使用状態等は前記した例と同様であり説明を省略する。また、突起３は連続した螺旋状に形成するも自由である。
【００３１】
図１２は本発明に係る他の例のインサートＴナット１ｆであって、このインサートＴナット１ｆは、前記した例と同様に金属部分と合成樹脂部分からなる。金属部分は、例えば鉄系の金属板を板金加工することにより一体形成した、中空な筒状の軸部２と、この軸部２の一端部から外方へ張出すフランジ部１０と、このフランジ部１０の外周縁の一部を外方から内方に向かって押潰すことにより成形された複数（この例の場合は４本）の爪１１と、軸部２の先端部側に形成されたかしめ予定部分１２と、かつかしめ予定部分１２を除く内周面上に形成された雌ねじ５とからなる。前記かしめ予定部分１２は、好ましくは、雌ねじ５が形成される部分に比べて肉薄とされる。これにより、雌ねじ５を形成する場合、そのねじ切りを軸部２の一端部からでも先端部側からでも行なうことができる。また、合成樹脂部分は、軸部２の外周部を被覆する樹脂層４である。この樹脂層４には、例えば図示のような円周方向に所定間隔を以てかつ長手方向に複数の四角錐の突起部分３ａが連続するように形成されている。
【００３２】
前記爪１１には、フック形状が与えられている。勿論、図１５のようなストレートな形状とするも、図１６に示した爪１１のようにギザギザの形状とするも、或いは図示省略するがその他の形状にするも自由であり、爪の形状は特に限定されるものではない。また、フランジ部１０の中央には、雌ねじ５に通じる穴が形成されている。なお、この穴は合成樹脂で被覆すれば、前記した従来のように穴から雌ねじ部分に発泡スチロールの樹脂が入り込むこともない。勿論、この穴を有さないフランジ部であってもよい。
【００３３】
このインサートＴナット１ｆでは、取り付け部材に固着された状態で突起３と爪１１とが取り付け部材に噛み込み、取り付け部材に対して回転することが禁止されるとともに、かしめ予定部分１２をかしめることにより、かしめ部分１２とフランジ部１０とで取り付け部材を挟む状態となり、取り付け部材から脱落したり、爪１１が取り付け部材から抜けたりすることが禁止される。
【００３４】
図１３は、前記した図１２のインサートＴナット１ｆのかしめ予定部分１２も合成樹脂による樹脂層４で被覆し、また爪１１はギザギザの形状であり、その他の構成は図１２のインサートＴナット１ｆの構成と同様であり、同一箇所に同一符合を付して説明を省略する。
【００３５】
図１７は本発明に係る他の例のインサートＴナット１ｈであって、このインサートＴナット１ｈは、図１２に示すインサートＴナット１ｆとフランジ部１０の形状と爪１１の形状が異なるが、他の構成は前記インサートＴナット１ｆと同様であり同一箇所に同一符合を付して説明を省略し、相違する部分について説明する。
【００３６】
このインサートＴナット１ｈは、金属材料によって軸部２と一体に形成された円形状のフランジ部１０の径方向に対向する位置に、フランジ部１０に対して垂直方向に金属材料を隆起させたようにして爪１１が形成されている。
【００３７】
図１８に示す金属板を板金加工することにより形成した軸部２では、雌ねじ５を形成した部分の外周部の一部は、内方へ押し潰され、それによって、前記外周部の一部には、２個の凹部１３および１４が、たとえば１８０度の角度間隔をもって形成されている。これらの凹部１３および１４は、雌ねじ形成部分の所定の箇所を１対の適当な工具で挟む状態としながら、工具を雌ねじ形成部分に向かって強く押圧することにより形成される。凹部１３および１４が形成される位置は、フランジ部を有するインサートナット及びインサートＴナットではフランジ部に近い方が好ましい。なぜなら、フランジ部から遠い位置において１対の工具を作用させた場合、凹部１３および１４をほとんど形成することなく、軸部２の断面が偏平状に変形しやすいためである。また、凹部１３および１４は、フランジ部に図１２の例のインサートＴナット１ｆのように爪１１が形成される前の段階で形成されるのが好ましい。なぜなら、爪１１の存在が、フランジ部１０の近くで凹部１３および１４を形成することを妨害することもあるからである。
【００３８】
なお、この例では、２個の凹部１３および１４が設けられたが、凹部の数は、２個に限らず、たとえば、１個または３個以上であってもよい。
【００３９】
前記凹部１３および１４の形成の結果、雌ねじ５のねじ山の一部が不整化される。この不整化部分１５および１６の存在のため、図示しないボルトが雌ねじ５に螺合するとき、不整化部分１５および１６において、ボルトを比較的強く回さなければ、不整化部分１５および１６を通過し得ない。このとき、不整化部分１５および１６において、ねじ山の一部が潰されることもあり得る。その結果、ボルトの雌ねじ５に対する螺合状態がロックされ、ボルトがインサートナット及びインサートＴナットから緩むことが防止される。
【００４０】
軸部２に前記のように凹部１３および１４を備える構成は、図１９、図２０ａ及び図２０ｂのインサートナット及びインサートＴナットをはじめ、本発明に係る全てのインサートナット及びインサートＴナットに備えるのが好ましい。
【００４１】
なお、本発明のインサートナット及びインサートＴナットは、軸部２の外周部の外側を合成樹脂によって形成するため、所望の文字や数字、記号等も容易に形成することができる。さらに、使用する合成樹脂の色を変えることにより、樹脂層４を所望の色に形成することができて商品価値を高めることができる。また、本発明に係る樹脂層４を形成する合成樹脂は、特に限定した樹脂に限定されるものではない。
【００４２】
また、本発明のインサートナット及びインサートＴナットにおいて、樹脂層は雌ねじを形成した軸部の外側を被覆するように突起とともに形成すればよい。勿論、インサートナット及びインサートＴナットは、軸部以外の部分（例えば前記した例でも示したような金属材料で形成したフランジ部等）も同時に合成樹脂で被覆してもよい。
【００４３】
また、フランジ部に爪を備えたインサートＴナットにおいて、フランジ部の形状は公知のＴナットの形状のそれぞれの形状であってよい。フランジ部の縦・横長さは、同じでも、または縦が長く横が短くとも、或いは縦が短く横が長くともよい。
【００４４】
【発明の効果】
以上の説明からも明らかなように本発明のインサートナット及びインサートＴナットは、ボルトやネジをねじ込む雌ねじを形成した軸部を金属材料で形成し、雌ねじを形成した軸部の外周部を、突起を形成した樹脂層で被覆した構成であるので、板金加工で形成されていた従来の板金加工によるＴナットでは困難であった形状の突起を、合成樹脂で形成して軸部の外周部に備えることができる。そして本発明のインサートナット及びインサートＴナットでは、いろいろな形状の突起を合成樹脂で容易に形成できて、突起を備えたインサートナット及びインサートＴナットを製造するにおいてコストダウンを達成でき、商品価値を高めることができる。また、所望の用途に使用する際のインサートナット及びインサートＴナットの本来の機能における強度の点でも何ら問題なく使用することができる。また、合成樹脂で外部が形成されているので外面をメッキしなくとも錆びを防止できる。
【００４５】
また、本発明のインサートＴナットにおいて、フランジ部の少なくとも一部が合成樹脂で形成した樹脂層で覆われると共に前記軸部の外周部の少なくとも１部が突起を備えた前記樹脂層で覆われ、又は少なくとも前記軸部の外周部の少なくとも１部が合成樹脂で形成した突起を備えた樹脂層で覆われているものも、前記したインサートナットと同様の効果を奏することができる。また軸部の雌ねじに通じる穴が金属材料で形成したフランジ部に形成されていても、樹脂層で前記穴も封じれば、インサートＴナットを使っての椅子やテーブルの組み立て施工時、使用される発泡スチロールが前記穴から軸部の雌ねじ部分に流入するのを防止できる。
【００４６】
また、本発明のインサートナット及びインサートＴナットにおいて、軸部の雌ねじを形成した箇所の外周部に凹部を形成して、凹部を形成した雌ねじのねじ山の一部を不整化することにより、ボルトが不整化部分を通過する際にねじ山の一部を潰し、ボルトの雌ねじに対する螺合状態がロックされボルトの緩みを防止できる。
【００４７】
また、本発明のインサートナット及びインサートＴナットにおいて、軸部の端部又はフランジ部に六角レンチやドライバー等のねじ込み工具の係合穴を形成し、軸部の外周部に右巻き又は左巻きで連続又は不連続な螺旋状の突起を形成したことによって、この係合穴にねじ込み工具を係合させて取り付け部材にねじ込むことにより、容易にねじ込んで取り付けることができる。
【００４８】
また、本発明のインサートナット及びインサートＴナットにおいて、軸部の外周部の上下方向及び周方向に所定間隔を以って突起を複数形成することにより、これらの突起が取り付け部材にかみ込み、ボルト等のねじ込みの際に共回りするといったことがない。
【００４９】
また、本発明のインサートナット及びインサートＴナットにおいて、前記フランジ部に軸部の先端部へ向く方向に延びる爪を形成したことにより、取り付け部材に取り付けたときに前記爪が取り付け部材に噛み込み、抜け落ちやボルト等のねじ込みの際の共回りを防止できる。
【００５０】
また、本発明のインサートナット及びインサートＴナットにおいて、軸部を一端部から先端部にかけて円筒の外径が漸次縮小した形状とすることにより、取り付け部材の筒状の下穴に挿着し易い。
【００５１】
また、本発明のインサートナット及びインサートＴナットにおいて、軸部の先端部にかしめ部分を形成したことにより、取り付け部材の下穴に取り付け後に、かしめ部分をかしめることにより、前記突起の噛み込みと相まって取り付け部材からの抜け落ちや、ボルト等のねじ込みの際の共回りを防止できる。
【００５２】
【図面の簡単な説明】
【図１】本発明の一例のインサートナットの斜視図である。
【図２】図１の縦断面図である。
【図３】本発明の他の例のインサートナット（又はインサートＴナット）の斜視図である。
【図４】図３の縦断面図である。
【図５】本発明の他の例のインサートナット（又はインサートＴナット）の斜視図である。
【図６】図５の縦断面図である。
【図７】本発明の他の例のインサートナット（又はインサートＴナット）の斜視図である。
【図８】図７の縦断面図である。
【図９】本発明の他の例のインサートナットの斜視図である。
【図１０】図９の縦断面図である。
【図１１】本発明の他の例のインサートナット（又はインサートＴナット）の一部を切欠いた正面図である。
【図１２】本発明の他の例のインサートＴナットの一部を切欠いた斜視図である。
【図１３】本発明の別の例のインサートＴナットの一部を切欠いた正面図である。
【図１４】図１３の底面図である。
【図１５】爪の説明図である。
【図１６】他の例の爪の説明図である。
【図１７】本発明の他の例のインサートＴナットの一部を切欠いた斜視図である。
【図１８】本発明の軸部の他の例を示した縦断の説明図である。
【図１９】凹部を備えた一例のインサートナットの縦断面図である。
【図２０】図２０ａは凹部を備えた一例のインサートＴナットの一部を切欠いた斜視図であり、図２０ｂは図２０ａの凹部を形成した部分の拡大断面図である。
【図２１】従来のインサートナットの説明図である。
【図２２】図２１の縦断面図である。
【図２３】従来のインサートナットの使用状態の説明図である。
【図２４】従来のＴナットの説明図である。
【符号の説明】
１    インサートナット及びインサートＴナット
２    軸部
３    突起
４    樹脂層
５    雌ねじ
６    フランジ部
８    六角穴（係合穴）
１０  フランジ部
１１  爪
１２  かしめ予定部
１３  凹部
１４  凹部
【図１】
2004211778.tif 000003
【図２】
2004211778.tif 000004
【図３】
2004211778.tif 000005
【図４】
2004211778.tif 000006
【図５】
2004211778.tif 000007
【図６】
2004211778.tif 000008
【図７】
2004211778.tif 000009
【図８】
2004211778.tif 000010
【図９】
2004211778.tif 000011
【図１０】
2004211778.tif 000012
【図１１】
2004211778.tif 000013
【図１２】
2004211778.tif 000014
【図１３】
2004211778.tif 000015
【図１４】
2004211778.tif 000016
【図１５】
2004211778.tif 000017
【図１６】
2004211778.tif 000018
【図１７】
2004211778.tif 000019
【図１８】
2004211778.tif 000020
【図１９】
2004211778.tif 000021
【図２０】
2004211778.tif 000022
【図２１】
2004211778.tif 000023
【図２２】
2004211778.tif 000024
【図２３】
2004211778.tif 000025
【図２４】
2004211778.tif 000026